(57)【要約】【課題】  遊技機の背面側のスペースを有効に利用可能な遊技機の提供を課題とする。【解決手段】  本発明においては、パチンコ遊技機１０のガラス枠１３に前面通路３０を配設することにより、払い出し通路をパチンコ遊技機１０の背面側に形成しないようにすることができる。これにより、パチンコ遊技機１０の背面側のスペースを広く確保することができ、より多くの機構部材をパチンコ遊技機１０の背面側に配設することが可能となる。例えば、遊技領域の中央に配置される液晶表示ユニットを大型化するようなことも可能である。【選択図】  図４
2006068238.tif 000002
【特許請求の範囲】
【請求項１】
上部に備えられ外部装置から遊技球が供給される供給部と、本体枠の前面側に設けられた遊技領域と、上記本体枠の前面側において回動可能に枢支されるとともに所定の回動位置にて同本体枠に背面側を略密着させつつ窓穴から上記遊技領域を視認させる窓枠とを備える遊技機において、
上記供給部から遊技球を案内する通路の少なくとも一部を構成する前面通路を上記本体枠の前面側に形成することを特徴とする遊技機。
【請求項２】
上部に備えられ外部装置から遊技球が供給される供給部と、本体枠の前面側に設けられた遊技領域と、上記本体枠の前面側において回動可能に枢支されるとともに所定の回動位置にて同本体枠に背面側を略密着させつつ窓穴から上記遊技領域を視認させる窓枠とを備える遊技機において、
上記供給部から遊技球を案内する通路の少なくとも一部を構成する前面通路を上記窓枠に形成することを特徴とする遊技機。
【発明の詳細な説明】
【技術分野】
【０００１】
本発明は、上部に外部装置から遊技球が供給される供給部を備える遊技機に関する。
【背景技術】
【０００２】
従来、この種の遊技機として、遊技機の背面側に遊技球の払い出し通路を形成したものが知られている。（例えば、特許文献１、図２、参照。）。
かかる構成によれば、払い出し通路中に払い出し装置が備えられるため、タンクに貯留された遊技球のうち指定された数量だけを払い出すことが可能であった。払い出された遊技球は前面側に案内されて、遊技に使用される。
【特許文献１】特開２００４−０７３７１９号公報
【発明の開示】
【発明が解決しようとする課題】
【０００３】
上述した従来の遊技機において、払い出し通路を遊技機の背面側に備えることにより、遊技機の背面側における各基板等の設置スペースが限定されるという課題があった。また、遊技球が遊技者の視認不可能な通路を流通して払い出されることから、面白みが少ないという課題があった。
本発明は、上記課題にかんがみてなされたもので、遊技機の背面側のスペースを有効に利用可能な遊技機の提供を目的とする。
【課題を解決するための手段】
【０００４】
上記目的を達成するため、請求項１にかかる発明では、上部に備えられ外部装置から遊技球が供給される供給部と、本体枠の前面側に設けられた遊技領域と、上記本体枠の前面側において回動可能に枢支されるとともに所定の回動位置にて同本体枠に背面側を略密着させつつ窓穴から上記遊技領域を視認させる窓枠とを備える遊技機において、
上記供給部から遊技球を案内する通路の少なくとも一部を構成する前面通路を上記本体枠の前面側に形成する構成としてある。
【０００５】
上記のように構成した請求項１の発明において、供給部が遊技機の上部に備えられ、同供給部に対して外部装置から遊技球が供給される。窓枠は上記本体枠に対して回動可能に連結される。そして、この窓枠を所定の位置に回動させることにより、上記遊技領域を窓穴から視認可能としつつ上記本体枠に前面側から略密着させることができる。上記供給部から遊技球を案内する通路が設けられることにより、上記供給部から遊技球を案内することができる。そして、この通路の少なくとも一部を構成する前面通路が上記本体枠の前面側に配設される。すなわち、上記供給部から遊技球を案内する通路のすべてが上記遊技機の背面側に備えられないため、同背面側のスペースを広く確保することができる。また、上記前面通路を上記本体枠の前面側に備えられる上記窓枠によって保護することもできる。
【０００６】
さらに、請求項２にかかる発明では、上部に備えられ外部装置から遊技球が供給される供給部と、本体枠の前面側に設けられた遊技領域と、上記本体枠の前面側において回動可能に枢支されるとともに所定の回動位置にて同本体枠に背面側を略密着させつつ窓穴から上記遊技領域を視認させる窓枠とを備える遊技機において、
上記供給部から遊技球を案内する通路の少なくとも一部を構成する前面通路を上記窓枠に形成することを特徴とする構成としてある。
【０００７】
上記のように構成した請求項２の発明において、供給部が遊技機の上部に備えられ、同供給部に対して外部装置から遊技球が供給される。窓枠は上記本体枠に対して回動可能に連結される。そして、この窓枠を所定の位置に回動させることにより、上記遊技領域を窓穴から視認可能としつつ上記本体枠に対して前面側から略密着させることができる。上記供給部から遊技球を案内する通路が設けられることにより、上記供給部から遊技球を案内することができる。そして、この通路の少なくとも一部を構成する前面通路が上記窓枠に配設される。
本発明は、上記の構成に限られるものではなく、以下の手段も含むものである。
【０００８】
手段１
手段１にかかる発明は、請求項１または請求項２のいずれかに記載した発明において、上記供給部は上記遊技機の背面側に備えられるとともに、
上記供給部から上記前面通路に遊技球を案内する連絡通路が上記遊技機の前後を貫通して形成される構成としてある。
【０００９】
すなわち、上記遊技機を前後に貫通する連絡通路を形成することにより、上記遊技機の背面側に備えられた上記供給部から遊技球を上記前面通路まで案内することができる。上記遊技機の背面側に備えられる上記供給部として遊技球タンク等を適用することができる。上記遊技球タンクは大量の遊技球を一時的に貯留しておくことから、遊技者の手の届く位置に配設すると、遊技球が盗み取られるおそれがある。従って、上記遊技球タンクは遊技機の背面側に配設しておくことが望ましい。
【００１０】
手段２
手段２にかかる発明は、請求項２または手段１のいずれかに記載した発明において、上記前面通路は上記窓枠に埋設される構成としてある。
すなわち、上記前面通路を上記窓枠に埋め込んでおくことにより、同前面通路によってスペースが占有されないようにすることができる。特に、上記前面通路は、上記遊技領域の視認性を損なわないように同遊技領域の外側のわずかなスペースに配置されることとなる。従って、上記前面通路を上記窓枠に埋設することにより、上記遊技領域の外側のわずかなスペースを有効に利用することができる。
【００１１】
手段３
手段３にかかる発明は、手段２に記載の発明において、上記窓枠に埋設された上記前面通路は、前面側に露出されるとともに、内部を流通する遊技球を透視可能に形成される構成としてある。
すなわち、上記前面通路を上記窓枠に埋設する場合、同前面通路を前面側に露出させるようにしてもよい。さらに、上記前面通路の内部を流通する遊技球を透視可能とすることにより、同前面通路にて流通する遊技球の様子や数量を遊技者が視認することができる。
【００１２】
手段４
手段４にかかる発明は、手段２または手段３のいずれかに記載の発明において、上記窓枠に埋設された上記前面通路は、同窓枠とは独立した部材として形成されるとともに、同窓枠に対して着脱可能に備えられる構成としてある。
すなわち、上記窓枠を上記前面通路に対して着脱可能とすることにより、同前面通路を取り外して清掃やメンテナンスや交換を行うことができる。
【００１３】
手段５
手段５にかかる発明は、手段４に記載の発明において、上記窓枠に着脱される上記前面通路は同窓枠の背面側にて固定される構成としてある。
すなわち、上記前面通路の上記窓枠に対する固定の解除を同窓枠の背面側にて行わなければならないようにすることができる。従って、上記窓枠を回動させて上記本体枠から離反させない限り、上記前面通路を同窓枠から取り外すことができないようになる。通常、上記窓枠の不正な回動を防止する鍵が同窓枠に備えられるため、容易に同窓枠を回動させて上記前面通路を同窓枠から取り外すことはできない。また、仮に上記窓枠を回動させたとしても、同窓枠が回動される様子を目立ちやすく、ホール管理者の目を盗んで上記前面通路を同窓枠から取り外すことはできない。
【００１４】
手段６
手段６にかかる発明は、請求項２または手段１のいずれかに記載した発明において、上記前面通路は上記窓枠の背面側に備えられる構成としてある。
すなわち、上記前面通路を上記窓枠の背面側に配設してもよい。上記窓枠を回動させることにより、同窓枠の背面側を視認することができるため、同前面通路のメンテナンス等を行うことができる。
【００１５】
手段７
手段７にかかる発明は、請求項１または請求項２、または、手段１から手段６のいずれかに記載した発明において、上記前面通路は、上記窓枠が回動する際の固定端側に備えられる構成としてある。
すなわち、上記前面通路を上記窓枠が回動する際の固定端側に配設することにより、同窓枠の自由端側から遠い位置に同前面通路を配設することができる。従って、上記窓枠を少し回動させて、同窓枠の自由端と上記本体枠との間に隙間を形成し、この隙間に手を入れて上記前面通路に不正を加えることを防止することができる。
【００１６】
手段８
手段８にかかる発明は、請求項１または請求項２、または、手段１から手段６のいずれかに記載した発明において、上記前面通路は、上記窓枠が回動する際の自由端側に備えられる構成としてある。
すなわち、上記前面通路を上記窓枠が回動する際の自由端側に備えることにより、同窓枠の自由端側から近い位置に同前面通路を配設することができる。従って、上記窓枠を少し回動させて、同窓枠の自由端と上記本体枠との間に隙間を形成し、この隙間に手を入れて上記前面通路のメンテナンスや検査等を行うことができる。すなわち、上記前面通路を上記窓枠の回動の自由端側に配設することによってメンテナンス性を重視することができ、固定端側に配設することよって不正防止性を重視することができる。
【００１７】
手段９
手段９にかかる発明は、請求項１または請求項２、または、手段１から手段８のいずれかに記載した発明において、上記遊技領域に遊技球を発射可能な発射機構に遊技球を供給可能な上皿が上記遊技機の前面側に突設されるとともに、
上記前面通路から上記上皿に遊技球を案内する案内通路が上記遊技機の前面側に突出して形成される構成としてある。
すなわち、上記遊技機の前面側に上記発射機構に遊技球を供給可能な上皿が備えられ、案内通路によって上記前面通路から同上皿に遊技球が案内される。上記案内通路は上記遊技機の前面側に突出するように形成される。すなわち、上記遊技機の前面側に突設される上記上皿に遊技球を案内する上記案内通路を同遊技機の前面側に突出するように形成してもよい。
【００１８】
手段１０
手段１０にかかる発明は、請求項１または請求項２、または、手段１から手段８のいずれかに記載した発明において、上記発射機構に遊技球を供給可能な上皿が上記遊技機の前面側に突設されるとともに、
上記前面通路から上記上皿に遊技球を案内する案内通路が上記遊技機の内部に埋設される構成としてある。
すなわち、上記遊技機の前面側に上記発射機構に遊技球を供給可能な上皿が備えられ、案内通路によって上記前面通路から同上皿に遊技球が案内される。上記案内通路は上記遊技機の内部に埋設される。すなわち、上記上皿に遊技球を案内する上記案内通路を同遊技機に埋設しても形成してもよい。
【００１９】
手段１１
手段１１にかかる発明は、請求項１または請求項２、または、手段１から手段１０のいずれかに記載した発明において、上記前面通路は金属製の保護部材によって保護される構成としてある。
すなわち、上記前面通路を金属製の保護部材によって保護することにより、同前面通路に不正が加えられることが防止できる。
【００２０】
手段１２
手段１２にかかる発明は、請求項１または請求項２、または、手段１から手段１０のいずれかに記載した発明において、上記窓枠は上記窓穴を塞ぐ透明板を保持する透明板保持枠である構成としてある。
すなわち、上記窓枠に上記窓穴を塞ぐ透明板が備えられるため、上記窓枠を所定の回動位置に回動させて、上記本体枠に略密着させたときには、上記遊技領域を前面側から閉鎖することができる。上記透明板はガラスや合成樹脂等の透明素材で形成されるため、上記遊技領域を前面側から閉鎖しつつ視認することができる。
【００２１】
手段１３
手段１３にかかる発明は、手段１２に記載した発明において、上記保護部材は上記窓枠にて透明板を保持するために備えられる透明板保持フレームである構成としてある。
すなわち、透明板を保持するために上記窓枠に備えられる透明板保持フレームによって上記前面通路を保護してもよい。この場合、本来、窓枠に備えられる上記透明板保持フレームを利用することができるため、部品コストが増加することもない。
【００２２】
手段１４
手段１４にかかる発明は、請求項１または請求項２、または、手段１から手段１３のいずれかに記載した発明において、上記供給部と上記前面通路との間に設けられ、所望の数の遊技球を上記前面通路に払い出し可能な払い出し装置が備えられる構成としてある。
すなわち、上記払い出し装置を上記供給部と上記前面通路との間に設けることにより、所望の数の遊技球を上記前面通路に払い出すことが可能となる。
【００２３】
手段１５
手段１５にかかる発明は、手段１４に記載した発明において、上記払い出し装置は上記遊技機の背面側に備えられる構成としてある。
すなわち、上記払い出し装置を上記遊技機の背面側に配設することにより、同払い出し装置に不正が加えられることが防止できる。従って、遊技球の払い出し量が不正にコントロールされることを防止することができる。
【００２４】
手段１６
手段１６にかかる発明は、請求項１または請求項２、または、手段１から手段１５のいずれかに記載した発明において、上記本体枠には前面側に遊技領域が形成される遊技盤が保持されるとともに、上記前面通路の設置スペースが同遊技盤を切り欠くことにより形成される構成としてある。
【００２５】
すなわち、上記本体枠に保持された遊技盤を切り欠くことにより、上記前面通路の設置スペースが確保することができる。上記前面通路は上記遊技領域の視認性を損なわないように同遊技領域の外側のわずかなスペースに設置されるが、前面側に同遊技領域が形成される上記遊技盤を切り欠くことにより、同前面通路の設置スペースを同遊技領域側に拡大することができる。
【００２６】
手段１７
手段１７にかかる発明は、請求項１または請求項２、または、手段１から手段１６のいずれかに記載した発明において、上記前面通路に球貸し機の遊技球排出口が接続する構成としてある。
すなわち、上記前面通路に球貸し機の遊技球排出口を接続しておくことにより、上記球貸し機にて排出された遊技球を直接遊技に使用することができる。
【００２７】
手段１８
手段１８にかかる発明は、請求項１または手段１から手段１７のいずれかに記載した発明において、上記遊技機は遊技媒体として遊技球を使用するとともに上記遊技領域にてドラムが回転させられるパチロットある構成としてある。
すなわち、本発明をパチロットにも適用することができる。なお、パチロットは、メダルの代わりに一定数のパチンコ球を使用して絵合わせを行うものでありパチンコ機とスロットマシンの両方の特徴を備えた遊技機である。このようなパチロットも、遊技球の払い出しと発射が行われるため、本発明を適用することができる。
【発明の効果】
【００２８】
以上説明したように、請求項１にかかる発明によれば、遊技機の背面側のスペースを有効に利用可能な遊技機を提供することができる。
請求項２にかかる発明によれば、遊技機の背面側のスペースを有効に利用可能な遊技機を提供することができる。
手段１にかかる発明によれば、遊技球を背面側から前面側の前面通路に案内することができる。
手段２にかかる発明によれば、前面通路を払い出し通路として利用することができる。
手段３にかかる発明によれば、前面通路にて流通する遊技球を視認することができる。
手段４にかかる発明によれば、前面通路の清掃等を容易に行うことができる。
【００２９】
手段５にかかる発明によれば、前面通路が不正に取り外されることを防止することができる。
手段６にかかる発明によれば、前面通路を窓枠によって保護することができる。
手段７にかかる発明によれば、前面通路に対する不正を防止することができる。
手段８にかかる発明によれば、前面通路のメンテナンスを容易に行うことができる。
【００３０】
手段９にかかる発明によれば、簡易な構造で遊技球を上皿に案内することができる。
手段１０にかかる発明によれば、遊技機をかさばらないように形成することができる。
手段１１にかかる発明によれば、前面通路に対する不正を防止することができる。
手段１２にかかる発明によれば、遊技領域を閉鎖することができる。
手段１３にかかる発明によれば、部品コストを低減させることができる。
【００３１】
手段１４にかかる発明によれば、前面通路を払い出し経路として利用することができる。
手段１５にかかる発明によれば、払い出し装置に対する不正を防止することができる。
手段１６にかかる発明によれば、前面通路の設置スペースを確保することができる。
手段１７にかかる発明によれば、球貸し機のから貸し出された遊技球をスムーズに遊技に使用することができる。
手段１８にかかる発明によれば、パチロットの背面側のスペースを有効に利用することができる。
【発明を実施するための最良の形態】
【００３２】
ここでは、下記の順序に従って本発明の実施形態について説明する。
（１）第一の実施形態：
（２）第二の実施形態：
（３）第三の実施形態：
（４）第四の実施形態：
（５）第五の実施形態：
（６）第六の実施形態：
（７）第七の実施形態：
（８）第八の実施形態：
（９）まとめ：
【００３３】
（１）第一の実施形態：
図１は、本発明の第一の実施形態にかかるパチンコ遊技機を斜めから見て示している。同図において、パチンコ遊技機１０は木材で矩形枠状に形成された外枠１１を有しており、同外枠１１をホール等に固定することにより正立した状態で設置される。外枠１１の内側には合成樹脂等で形成された矩形枠状の本体枠１２が嵌め込まれている。本体枠１２の前面側には、同本体枠１２と回動可能な窓枠および透明板保持枠としてのガラス枠１３が枢支されている。ガラス枠１３は中央部に窓穴１３ｄを有しており、同開口から透明板としてのガラス１３ａが露出するように保持されている。
【００３４】
ガラス１３ａは透視可能であるため、ガラス１３ａが露出する窓穴１３ｄの背面側を視認することが可能となっている。本体枠１２は矩形開口を有しており、同矩形開口にて矩形板状の遊技盤２４が保持されている。そして、前面側からガラス１３ａを透視することにより、その内側に保持された遊技盤２４の様子を視認することが可能となっている。遊技盤２４の前面には略円環状の遊技レールが立設されており、同遊技レールおよびガラス枠１３に囲まれた遊技領域にて遊技球を流通させて遊技を行う。ガラス枠１３の下方には上皿１４が前面に向かって突設されており、さらにその下方には下皿１５が前面に向かって突設されている。上皿１４および下皿１５は所定の深みを有する皿状に形成されているため、遊技球を貯留しておくことができる。
【００３５】
下皿１５の側方には半球状の発射ハンドル１６が回動可能に突設されており、同発射ハンドル１６の回動量に応じて遊技球の発射を行うことが可能となっている。発射ハンドル１６が備えられた部位の内部には発射機構１６ａが備えられている。発射機構１６ａは、遊技領域まで遊技球を案内するレールと、発射ハンドル１６の回動量に応じて動作する発射槌を有している。また、上皿１４と発射機構１６ａとは図示しない通路により連通しており、上皿１４に貯留された遊技球を発射槌に供給することが可能となっている。そして、供給された遊技球を発射槌が弾くことにより、遊技球が付勢され、遊技領域に発射される。
【００３６】
図２は、パチンコ遊技機１０を背面側から見て示している。同図において、パチンコ遊技機１０の背面側には略板状の機構板１７が枢支されており、本体枠１２に保持されている遊技盤２４は同機構板１７によって背面側から覆われている。機構板１７には保護カバー２２が取り付けられており、同保護カバー２２に背面側から覆われるように液晶ユニット２１や制御ボックス２３が配設されている。液晶ユニット２１は遊技領域の中央部に表示面を露出させる液晶パネルを駆動するための装置であり、遊技盤２４を貫通するように取り付けられている。制御ボックス２３はパチンコ遊技機１０の主要な動作を制御する制御基板を収容する基板ボックスであり、内部の制御基板を強固に封止している。
【００３７】
パチンコ遊技機１０の背面側の上部には遊技球が貯留可能なタンク１８が備えられている、タンク１８は幅方向に長い皿状に形成されており、上方に開口している。タンク１８は本発明にいう供給部に相当し、同タンク１８はホール等に設置される遊技球供給装置から遊技球の供給を受ける。タンク１８を遊技機における上方部分に備えておくことにより、遊技球が重力に引かれて流下する勢いを利用して、遊技球を流通させることができる。タンク１８の底面は紙面右方が低くなるように形成されており、タンク１８内を流下する遊技球は紙面右方向に流通する。
【００３８】
タンク１８の底面の紙面右方端部には穴が形成されており、同穴からタンクレール１８ａに遊技球が落下する。タンクレール１８ａは紙面右側が低くなるように傾斜しており、タンクレール１８ａに落下した遊技球は紙面右側に流下する。さらに、タンクレール１８ａの紙面側端部の下方に備えられた払い出し装置１９に遊技球が落下する。払い出し装置１９は遊技球の直径程度の内径を有する通路１９ａを有しており、同通路１９ａの側方にて略五角形の回転体１９ｂが備えられ、同回転体１９ｂの一部が同通路１９ａの内部に突出している。そして、回転体１９ｂが１／５回転する毎に遊技球を一球下方に送り出すことが可能となっている。すなわち、回転体１９ｂの回転量に応じて払い出される遊技球の数量が制御されている。なお、回転体１９ｂの回転量は、制御ボックス２３に収容された制御基板等に備えられたＣＰＵ等の演算結果に応じて制御されている。
【００３９】
例えば、大当たりが出た場合等には回転体１９ｂを高速に回転させるようにＣＰＵ等が指令する。逆に、賞球がない場合には、回転体１９ｂを停止させるようにＣＰＵ等が指令する。通路１９ａは払い出し装置１９の下方に備えられたガイド部材２０の内部に連通しており、払い出し装置１９にて払い出された遊技球はガイド部材２０の内部に落下する。
【００４０】
図３は、遊技球の通路を模式的に示している。同図において、ガイド部材２０は内部に略Ｌ字状の通路２０ａを有しており、通路２０ａの底面は前方になるほど低くなるように傾斜している。通路２０ａの前方端部は開口しており、底面を伝って流下する遊技球を前方に排出することが可能となっている。また、通路２０ａの前方端部の開口は、機構板１７を前後に貫通するように形成された機構板通路１７ａの後端と接続されている。従って、ガイド部材２０から排出された遊技球は、機構板通路１７ａに導入される。機構板通路１７ａの底面も前方になるほど低くなるように傾斜しているため、機構板通路１７ａに導入された遊技球はさらに前方に流下する。
【００４１】
機構板１７は本体枠１２に対して回動可能に枢支されているが、機構板１７と本体枠１２とが平行となるように機構板１７を回動させることにより、機構板１７と本体枠１２（あるいは、本体枠１２に保持された遊技盤２４。）とが略密着する。このとき、機構板通路１７ａの前端も本体枠１２に背面側から接触し、同本体枠１２を前後に貫通するように形成された本体枠通路１２ａの後端と接続する。このようにすることにより、機構板通路１７ａを流下した遊技球を本体枠通路１２ａに案内することができる。本体枠通路１２ａの底面も前方になるほど低くなるように傾斜しているため、本体枠通路１２ａに導入された遊技球はさらに本体枠通路１２ａを前方に流下する。
【００４２】
一方、本体枠１２の前面側に備えられるガラス枠１３には、前面通路３０が備えられている。ガラス枠１３は本体枠１２に対して回動可能に枢支されているが、本体枠１２にガラス枠１３を略密着させて、遊技領域を前面側から閉鎖するようにガラス枠１３を回動させたときには、ガラス枠１３と本体枠１２（あるいは、本体枠１２に保持された遊技盤２４。）とを平行に略密着させることができる。このとき、本体枠通路１２ａの前端と、前面通路３０の入口３２とが接続する。従って、本体枠通路１２ａを流下し前面側に排出された遊技球は前面通路３０に案内されることとなる。前面通路３０は通路方向がほぼ鉛直に形成されており、同前面通路３０に案内された遊技球は自由落下しながら下方に進行する。なお、ガラス枠１３の背面側にはガラス保持フレーム２６が取り付けられるが、ガラス保持フレーム２６における前面通路３０と本体枠通路１２ａとが接続する部位には穴２６ｂ１が形成されているため、本体枠通路１２ａから前面通路３０に遊技球を案内することができる。
【００４３】
このようにパチンコ遊技機１０を構成する各部材の前後を貫通する機構板通路１７ａと本体枠通路１２ａと形成し、これらを前後に接続することにより、パチンコ遊技機１０を前後に貫通する連絡通路Ａを形成することができる。この連絡通路Ａによれば遊技球を背面側から前面側に流通させることができるため、払い出し装置１９から払い出された遊技球を前面側に供給することができる。なお、連絡通路Ａは遊技盤２４を貫通して形成するようにしてもよい。本体枠１２は遊技盤２４の外側を枠状に囲んで保持しているため、連絡通路Ａを遊技盤２４の外側に形成すれば連絡通路Ａは本体枠１２を貫通することとなるし、連絡通路Ａを遊技盤２４の内側に形成すれば連絡通路Ａは遊技盤２４を貫通することとなる。
【００４４】
図４はパチンコ遊技機１０を斜めから見て示し、図５はガラス枠１３を背面側から見て示している。図４において、ガラス枠１３は図１に示した状態から回動されており、ガラス枠１３が本体枠１２の前面側に略密着せず離反している。それにより、遊技領域２５は前面側に開放されている。本体枠１２は略矩形状の矩形開口１２ｂを有しており、同矩形開口１２ｂから矩形板状の遊技盤２４が前面側に露出している。遊技盤２４の前面側に略円環状の遊技レール２５ａを突設することにより、遊技盤２４の前面側にて遊技領域２５の内外を区画している。遊技領域２５の内側には液晶表示装置２５ｂや風車２５ｃ等が配設されている。遊技盤２４は本体枠１２よりやや奥方にて保持されているため、遊技領域２５は本体枠１２の中央部において奥方に凹んだ位置に形成されることとなる。
【００４５】
ガラス枠１３は略板状に形成されており、中央部に窓穴１３ｄを備えている。ガラス枠１３の左辺（正面視）には上下一対の回動ヒンジ１３ｅ１，１３ｅ２が設けられており、これらを貫通する鉛直な回動軸にて回動することが可能となっている。一方、本体枠１２におけるガラス枠１３の回動自由端を待ち受ける部位には施錠機構１２ｃが形成されており、同施錠機構１２ｃにてガラス枠１３の回動自由端を固定することが可能となっている。従って、ガラス枠１３を回動させて遊技領域２５を前面側から略閉鎖したときには、施錠機構１２ｃによってガラス枠１３の回動自由端を固定することができ、不正に遊技領域２５が開放されることを防止することが可能となっている。
【００４６】
ガラス枠１３の背面側には、略コの字状に形成されたガラス保持フレーム２６が取り付け面２６ｂにてネジ止め固定されている。ガラス保持フレーム２６は、窓穴１３ｄの両側方および下方を囲むように略コの字状に形成されており、内側部分が背面側に突出するように屈曲されている。そして、屈曲された部位の先端には断面略コの字状のガラス保持レール２６ａが形成されている。ガラス保持レール２６ａは内側にガラス１３ａを挟んで保持することが可能であり、ガラス１３ａはガラス枠１３から背面側に突出した位置にて保持されている。このように、ガラス１３ａをガラス枠１３から背面側に突出して保持することにより、ガラス枠１３にて遊技領域２５を閉鎖する際には、奥方（背面側方向）に凹んだ位置に形成された遊技領域２５の遊技レール２５ａ等にガラス１３ａを密着させることができる。
【００４７】
取り付け面２６ｂにおける回動ヒンジ１３ｅ１，１３ｅ２が設けられる側の上部には穴２６ｂ１が形成されている。図４において、本体枠１２における穴２６ｂ１の回動を待ち受ける部位には本体枠通路１２ａが穿設されている。従って、遊技領域２５が前面側から略閉鎖されるようにガラス枠１３を回動させたとき、穴２６ｂ１と本体枠通路１２ａの前方端部が前後に重ならせることが可能となっている。従って、図３に示すように本体枠通路１２ａを流通する遊技球をガラス枠１３に備えられた前面通路３０に案内することができる。
【００４８】
図６は、ガラス枠１３を斜めから見て示している。同図において、窓穴１３ｄの左側に切り欠き１３ｆが軸方向を上下方向に配向させた溝状となるように形成されている。切り欠き１３ｆが形成された部位においては、ガラス枠１３の背面側に取り付けられた、ガラス保持フレーム２６の取り付け面２６ｂが前面側に露出されている。この露出した取り付け面２６ｂには円形の固定穴２６ｂ２，２６ｂ２，２６ｂ２が貫通している。同様に、切り欠き１３ｆにおける最上部にも取り付け面２６ｂを貫通する穴２６ｂ１が形成されている。
【００４９】
図７は、前面通路３０を斜めから見て示している。前面通路３０は長尺棒状に形成された独立部材であり、内部が中空状となっている。また、前面通路３０は透明な合成樹脂で成型されており、内部を視認することが可能となっている。前面通路３０の上部には同前面通路３０の内部と外部とを連通させる入口３２が形成されており、前面通路３０の上部の下端にも同前面通路３０の内部と外部とを連通させる出口３３が形成されている。このようにすることにより、入口３２から導入された遊技球を出口３３から排出することができる。また、前面通路３０における入口３２が形成された面には３個の係合爪３１，３１，３１が突設されている。なお、同図においては前面通路３０をガラス枠１３から取り外した状態を示している。
【００５０】
図８は、前面通路３０をガラス枠１３に取り付けた状態を正面から見て示している。同図において、ガラス枠１３の切り欠き１３ｆに前面通路３０が嵌め込むことにより、前面通路３０をガラス枠１３に埋設している。このとき、図５に示すように取り付け面２６ｂに形成された固定穴２６ｂ２，２６ｂ２，２６ｂ２に前面通路３０から突設された係合爪３１，３１，３１がそれぞれ貫通して係合する。従って、前面通路３０をガラス枠１３に対して固定することができる。また、前面通路３０をガラス枠１３に取り付けると、前面通路３０の入口３２と取り付け面２６ｂの穴２６ｂ１とが前後に重なることとなる。従って、図３に示すように本体枠通路１２ａを流通する遊技球を、穴２６ｂ１および入口３２を経由して前面通路３０に案内することができる。
【００５１】
前面通路３０に案内された遊技球は前面通路３０の内部をほぼ自由落下しながら下端の出口３３に到達する。前面通路３０は透明に形成され、前面側に露出するように取り付けられているため、遊技者は上記のように流下する遊技球の様子を視認することができる。従って、遊技者はどれだけの遊技球が賞球として払い出されたかを実感することができる。また、略鉛直に流下する遊技球の様子を遊技者に見せることにより、パチンコ遊技機１０の装飾性や趣向性も向上させることができる。
【００５２】
前面通路３０は独立した部材として形成されているため、再び取り外すことも可能である。前面通路３０を取り外すことにより、前面通路３０の清掃、洗浄を容易に行うことが可能となる。上述したとおり、前面通路３０の内部は、遊技者の目にさらされ、大量の遊技球が接触して汚れやすいことから、前面通路３０の清掃を頻繁に行う必要がある。従って、前面通路３０を着脱可能としておくことが望ましい。むろん、前面通路３０が摩耗したり、洗浄が不能な程度に汚れたりした場合には、前面通路３０を新たなものに換装することも可能である。また、前面通路３０の消耗する度に、ガラス枠１３全体を交換しなくても済む。
【００５３】
前面通路３０を取り外すにあたっては、予め図４のように遊技領域２５が前面側に開放するようにガラス枠１３を回動させておいてから係合爪３１，３１，３１の係合を解除すればよい。一方、遊技領域２５が閉鎖するようにガラス枠１３が回動させられた状態においては、ガラス枠１３の背面側に位置する係合爪３１，３１，３１に操作を加えることが不可能となる。従って、遊技領域２５を閉鎖して遊技を行う際に、前面通路３０が取り外されることを防止することができる。また、ガラス枠１３は施錠機構１２ｃによって強固に固定されているため、不正にガラス枠１３を開放させてから前面通路３０を取り外すことは不可能となっている。
【００５４】
さらに、係合爪３１，３１，３１はガラス枠１３の回動固定端側に位置しているため、ガラス枠１３を少し回動させたときに形成されるガラス枠１３の自由端側と本体枠１２との隙間に手を入れて係合爪３１，３１，３１を操作しようとしても手が届かない。すなわち、仮に施錠機構１２ｃの施錠が解除できたとしても、ガラス枠１３をほぼ全開させない限り、係合爪３１，３１，３１を操作することは不可能である。従って、他の者に気づかれることなく、不正に前面通路３０を取り外すことは不可能となる。前面通路３０に案内された遊技球は出口３３から下方に向かって排出される。
【００５５】
図９は、出口３３から排出された遊技球が流通する通路を示している。同図において、遊技領域２５が閉鎖するようにガラス枠１３を回動させたときに出口３３に対向可能な開口４１を本体枠１２に形成している。一方、上皿１４の内部に遊技球を排出可能な上皿出口４２が設けられており、開口４１と上皿出口４２とを連通させる案内通路４０が上皿１４の裏側に埋設されている。従って、前面通路３０の出口から排出された遊技球を上皿１４の内部に案内することができる。上皿１４に案内された遊技球は一時的に上皿１４に貯留され発射機構１６ａに導かれるため、前面通路３０を流通した遊技球を遊技に使用すること可能となる。このように、案内通路４０を上皿１４の裏側といったパチンコ遊技機１０の内部に埋設することにより、最短距離で遊技球を上皿１４に案内することができるとともに、パチンコ遊技機１０をコンパクトに形成することができる。なお、上皿１４は本体枠１２に対して回動可能に取り付けられる上皿扉に設けられる場合がある。この場合、本体枠１２側に案内通路４０を埋設してもよいし、上皿扉側に案内通路４０を埋設するようにしてもよい。さらに、上皿扉がガラス枠１３と一体的に形成される場合には、ガラス枠１３に埋設された前面通路３０をそのまま下方に延設して、同案内通路３０の下端を上皿１４まで到達させるようにしてもよい。
【００５６】
さらに、本体枠１２の内部にはオーバーフロー通路４３が埋設されており、オーバーフロー通路４３は上皿出口４２の直前にて案内通路４０から分岐させられている。オーバーフロー通路４３の終端には下皿出口４４が形成されており、オーバーフロー通路４３を流通する遊技球を下皿１５に排出することが可能となっている。案内通路４０を流通する遊技球は原則的に上皿出口４２に案内されるが、上皿出口４２の付近に遊技球が充填されている場合には、上皿出口４２に遊技球が流下することが充填された遊技球によって妨げられる。そして、行き場を失った遊技球がオーバーフロー通路４３に流れ込むことが可能となっている。すなわち、上皿１４に貯留された遊技球が満杯状態のときのみ遊技球を下皿１５に排出することが可能となっている。
【００５７】
本実施形態において、パチンコ遊技機１０のガラス枠１３に前面通路３０を埋設することにより、払い出し通路をパチンコ遊技機１０の背面側に形成しないようにすることができる。これにより、パチンコ遊技機１０の背面側のスペースを広く確保することができ、より多くの機構部材をパチンコ遊技機１０の背面側に配設することが可能となる。例えば、遊技領域の中央に配置される液晶表示ユニットを大型化するようなことも可能である。また、ガラス枠１３に前面通路３０を埋設しているため、遊技領域２５の側方のスペースを効率よく利用することができる。なお、遊技領域２５の視認性を妨げないように、前面通路３０を遊技領域２５の外側に設けておくことが望ましい。また、前面通路３０および案内通路４０およびオーバーフロー通路４３をパチンコ遊技機１０に埋設しているため、これらの通路によってパチンコ遊技機１０がかさばるようなこともない。
【００５８】
（２）第二の実施形態：
図１０は、第二の実施形態にかかるパチンコ遊技機を斜めから見て示している。同図において、前面通路１３０は第一の実施形態とほぼ同様の構成とされている。ただし、前面通路１３０の下方部分から前方に突出するように案内通路１４０が延設されている。案内通路１４０は前面通路１３０から連続する通路であり略円筒状に形成されている。そして、案内通路１４０の終端を開口させることにより上皿出口１４２が形成されている。上皿出口１４２は上皿１１４の内部に位置させられているため、前面通路１３０に払い出された遊技球を案内通路１４０を経由させて上皿１１４に排出することができる。
【００５９】
このように、案内通路１４０を前面側に突出させてもよい。前面通路１３０はパチンコ遊技機１１０の前面側に露出するように設けられるため、前面側に突出する案内通路１４０に対して容易に接続することができる。また、本体枠１１２に通路を埋設させる必要もないため、構造を簡素化することができる。なお、案内通路１４０の突出量を上皿１１４や下皿１１５よりも小さくすることにより、案内通路１４０によってパチンコ遊技機１１０がかさばることによる弊害を抑制することができる。案内通路１４０は湾曲させられており、上皿出口１４２付近における遊技球の進行方向は、略水平右方向となる。従って、上皿１１４に着弾する際の衝撃を緩和するとともに、球こぼれや球暴れを抑制することができる。
【００６０】
パチンコ遊技機の機種によってはパチンコ遊技機に隣接して球貸し機が設置される場合がある。図１０においては、パチンコ遊技機１１０の幅方向に隣接して球貸し機１７０が設置されている。球貸し機１７０は前方に突出する排出通路１７１を有しており、同排出通路１７１の先端には遊技球を排出可能な排出口１７２が形成されている。排出通路１７１は球貸し機１７０に対して回動可能に枢支されており、排出通路１７１を所定の位置に回動させたときの排出口１７２に対向可能な位置に導入穴１４０ａが形成されている。導入穴１４０ａは案内通路１４０の壁面に穴を開ける形成されており、導入穴１４０ａから案内通路１４０の内部に遊技球を導入することができる。
【００６１】
このように、パチンコ遊技機１１０の前面側に前面通路１３０および案内通路１４０を形成することにより、容易に球貸し機１７０の排出口１７２を接続することができる。球貸し機１７０の排出口１７２から排出された遊技球は上皿１１４に排出されるため、遊技に使用することができる。なお、球貸し機１７０の排出口１７２を案内通路１４０ではなく前面通路１３０に接続するようにしてもよい。
【００６２】
（３）第三の実施形態：
図１１は、第三の実施形態にかかるパチンコ遊技機を斜めから見て示している。同図において、パチンコ遊技機２１０は第一の実施形態とほぼ同様の構成とされているため、相違する点のみについて説明するものとする。前面通路２３０がガラス枠２１３の背面側に取り付けられている。そして、前面通路２３０の厚みの分だけ、本体枠２１２における前面通路２３０の回動を待ち受ける部位の厚みが薄く形成されている。このようにすることにより、本体枠２１２と前面通路２３０とを干渉させることなく、遊技領域２２５が閉鎖するようにガラス枠２１３を回動させることが可能となっている。
【００６３】
図１２は、ガラス枠２１３を背面側から見て示している。同図において、ガラス枠２１３の背面側には略コの字状のガラス保持フレーム２２６が取り付けられており、同ガラス保持フレーム２２６の取り付け面２２６ｂ上に略棒状の前面通路２３０が取り付けられている。前面通路２３０は中空状に形成されており、その内部と外部とを連通させる入口２３２が上方部分に形成されている。一方、前面通路２３０の下端を開口させることにより、前面通路２３０の内部と外部とを連通させる出口２３３が形成されている。また、取り付け面２２６ｂから背面側に立設するガラス保持レール２２６ａの外側に隣接するように前面通路２３０が取り付けられている。
【００６４】
図１１に示すように本体枠２１２には前後に貫通する本体枠通路２１２ａが穿設されており、前面通路２３０は入口２３２にてこれと接続することが可能となっている。図１３は、本体枠通路２１２ａと前面通路２３０とが接続される様子を模式的に示している。同図において、遊技領域２２５が閉鎖するようにガラス枠２１３を回動させると、ガラス枠２１３の背面側に開口していた前面通路２３０の入口２３２と、本体枠通路２１２ａの前方端部とが前後に重なることとなる。これにより、本体枠通路２１２ａと前面通路２３０とが接続される。なお、本実施形態において本体枠２１２は前面通路２３０の厚みの分だけ薄く形成されている。また、本体枠通路２１２ａは背面側にて機構板通路２１７ａと接続しており、払い出し装置２１９から遊技球の供給を受けることが可能となっている。
【００６５】
前面通路２３０に案内された遊技球は前面通路２３０の内部を略鉛直に落下し、下端の出口２３３から下方に放出される。図１４に示すように、遊技領域２２５が閉鎖するようにガラス枠２１３を回動させたとき出口２３３に対向可能な開口２４１を本体枠２１２に形成している。上皿２１４に遊技球を排出可能な上皿出口２４２が形成されており、本体枠２１２に埋設された案内通路２４０は上皿出口２４２と開口２４１とを連通させている。このようにすることにより、前面通路２３０に払い出した遊技球を上皿２１４に案内して、遊技に使用することができる。なお、上皿２１４が満杯状態のときに遊技球を下皿２１５に案内するオーバーフロー通路２４３も前実施形態と同様に形成されている。  
【００６６】
本実施形態のように、前面通路２３０をパチンコ遊技機２１０の背面側に配設しないことにより、パチンコ遊技機２１０の背面側のスペースを有効に利用することができる。また、前面通路２３０をガラス枠２１３の背面側に配設することにより、前面通路２３０をガラス枠２１３によって保護することができる。従って、前面通路２３０に対して不正が行われることを防止することができる。特に、ガラス枠２１３の背面側には金属製のガラス保持フレーム２２６が取り付けられ、同ガラス保持フレーム２２６によって前面通路２３０が前面側および幅方向内側から保護されている。従って、前面通路２３０に対する不正を防止することができる。
【００６７】
一方、正規に開錠してガラス枠２１３を回動させれば、前面通路２３０を視認しつつ、容易にメンテナンスすることができる。従って、前面通路２３０にて球詰まり等が発生した場合にも、本体枠２１２を外枠２１１に対して回動させることなく迅速に処置を行うことができる。ただし、ガラス枠２１３の回動固定端側に前面通路２３０を取り付けているため、少しの回動により前面通路２３０に手が加えられないようになっている。
【００６８】
（４）第四の実施形態：
図１５は、第四の実施形態にかかるパチンコ遊技機を斜めから見て示している。同図において、パチンコ遊技機３１０は第三の実施形態とほぼ同様の構成とされているため、相違する点のみについて説明するものとする。前面通路３３０はガラス枠３１３の背面側における回動自由端側に取り付けられている。このように、前面通路３３０を回動自由端側に取り付けることにより、ガラス枠３１３の少しの開放により前面通路３３０に手を加えることができるため、前面通路３３０のメンテナンス性が向上する。ただし、メンテナンス性よりも不正防止性を重視する場合には、第三の実施形態のように回動固定端側に前面通路を取り付けておくことが望ましい。
【００６９】
（５）第五の実施形態：
図１６は、第五の実施形態にかかるパチンコ遊技機を斜めから見て示している。同図において、パチンコ遊技機４１０は第一の実施形態とほぼ同様に形成されている。ただし、本体枠４１２の内部に前面通路４３０が埋設されている。図１７は、前面通路４３０を模式的に示している。同図において、本体枠４１２の内部に厚み方向の通路と鉛直方向の通路とが交差して形成される前面通路４３０が設けられている。前面通路４３０の背面側端部を背面側に開口させることにより入口４３２が形成されている。本体枠４１２に対して機構板４１７を閉じた状態において、機構板４１７を前後に貫通する機構板通路４１７ａの前面側端部と入口４３２とが前後に重なる。
【００７０】
これにより、払い出し装置４１９にて払い出された遊技球を前面通路４３０に案内することができる。本実施形態のように本体枠４１２に前面通路４３０を形成することにより、前面通路４３０をパチンコ遊技機４１０の背面側に配設しないようにすることができる。従って、パチンコ遊技機４１０の背面側のスペースを有効に利用することができる。本体枠４１２に前面通路４３０を配設するにあたっては、本実際形態のように埋設してもよいし、他の態様であってもよい。
【００７１】
（６）第六の実施形態：
例えば、前面通路を独立部材として形成しておき、本体枠の前面側に取り付けるようにしてもよい。図１８は、第六の実施形態にかかるパチンコ遊技機を斜めから見て示している。同図において、パチンコ遊技機５１０は第三の実施形態とほぼ同様の構成とされているが、本体枠５１２の厚みが薄く形成された部位の前面側に前面通路５３０が取り付けられている。このようにしても、第三の実施形態と同様にガラス枠５１３を回動させることにより、前面通路５３０を視認して、メンテナンスを行うことができる。
【００７２】
図１９は、本実施形態における各通路が接続する様子を模式的に示している。同図において、ガラス枠５１３の背面側に開口する前面通路５３０の入口５３２と、本体枠通路５１２ａの前方端部とが前後に重なっている。これにより、本体枠通路５１２ａと前面通路５３０とが接続される。なお、本実施形態において本体枠５１２は前面通路５３０の厚みの分だけ薄く形成されている。また、本体枠通路５１２ａは背面側にて機構板通路５１７ａと接続しており、払い出し装置５１９から遊技球の供給を受けることが可能となっている。
【００７３】
すなわち、第三の実施形態とほぼ同じ構成となっている。ただし、本実施形態において、前面通路５３０は本体枠５１２側に取り付けられているため、ガラス枠５１３の回動に依存することなく前面通路５３０を本体枠通路５１２ａと接続させておくことができる。すなわち、遊技領域５２５が開放するようにガラス枠５１３を回動させても、前面通路５３０と本体枠通路５１２ａとの接続が維持されるため、払い出された遊技球がこぼれ落ちるようなこともない。従って、払い出し経路の球抜きが完全に行われていない状態でも、遊技領域５２５を開放させてメンテナンス等を行うことができる。
【００７４】
（７）第七の実施形態：
第五の実施形態においては、本体枠の内部に前面通路を埋設したが、前面通路の埋設スペースが不十分な場合には、遊技盤を切り欠いてスペースを確保するようにしてもよい。図２０は、第七の実施形態にかかる前面通路の断面を見て示している。同図において、本体枠６１２に前面通路６３０が埋設されており、同前面通路６３０の通路幅を確保するために本体枠６１２に保持された略板状の遊技盤６２４に切り欠き６２４ｅが形成されている。このように、遊技盤６２４の端部を切り欠くことにより、遊技領域の外側のスペースを有効に利用して、前面通路６３０の通路幅を最大限に確保することができる。
【００７５】
（８）第八の実施形態：
図２１は、第八の実施形態にかかる遊技機としてのパチロットを斜めから見て示している。パチロット７１０は、スロットマシンにおけるメダルの代わりに遊技球を利用するものであり、例えば、パチンコ球の５個がメダル１個に相当して遊技を楽しむことができる。パチロット７１０は、スロットマシンと同様に回転するドラム７１４ａを備える遊技領域７１４を有している。このようなパチロット７１０においても遊技媒体として遊技球が使用されるため、遊技状態に応じた遊技球が払い出されることとなる。従って、パチロット７１０の前面側に前面通路７３０を形成することができ、それにより、パチロット７１０の背面側のスペースを広く確保することができる。
【００７６】
なお、図２２に示すように、パチロット７１０も外枠７１１と本体枠７１２とを有し、本体枠７１２の前面側にはドラム７１４ａが保持された遊技領域７１４が形成される。本体枠７１２の背面側には遊技球の供給を受けるタンク７１８が設けられている。本体枠７１２には前後に貫通する連絡通路Ａが形成されており、同連絡通路Ａを介してタンク７１８に貯留された遊技球が本体枠７１２の前面側に案内される。本体枠７１２の前面側には操作レバーや操作ボタンが形成された窓枠７１３が取り付けられる。窓枠７１３は本体枠７１２に対して左側の辺を回動軸として回動可能に取り付けられる。窓枠７１３と本体枠７１２とが略平行となるように、窓枠７１３を回動させたとき、窓枠７１３の背面側と本体枠７１２の前面側とが略密着する。
【００７７】
このとき、窓枠７１３の略中央部に形成された矩形状の窓穴７１３ｄからはドラム７１４ａが保持された遊技領域７１４が視認可能となる。また、このとき窓枠７１３に取り付けられた前面通路７３０と連絡通路Ａとが接続し、タンク７１８に貯留された遊技球を前面通路７３０に案内することができる。なお、窓枠７１３をガラス等の透明板によって塞ぐことによりパチロット７１０の遊技領域７１４を閉鎖させてもよいし、本実施形態のように遊技領域７１４を開放させておいてもよい。
【００７８】
（８）まとめ：
以上説明したように本発明によれば、パチンコ遊技機１０のガラス枠１３に前面通路３０を配設することにより、払い出し通路をパチンコ遊技機１０の背面側に形成しないようにすることができる。これにより、パチンコ遊技機１０の背面側のスペースを広く確保することができ、より多くの機構部材をパチンコ遊技機１０の背面側に配設することが可能となる。例えば、遊技領域の中央に配置される液晶表示ユニットを大型化するようなことも可能である。
【図面の簡単な説明】
【００７９】
【図１】第一の実施形態にかかるパチンコ遊技機の斜視図である。
【図２】第一の実施形態にかかるパチンコ遊技機の背面図である。
【図３】第一の実施形態にかかる連絡通路の説明図である。
【図４】第一の実施形態にかかるパチンコ遊技機の斜視図である。
【図５】第一の実施形態にかかるガラス枠の背面斜視図である。
【図６】第一の実施形態にかかるガラス枠の正面斜視図である。
【図７】第一の実施形態にかかる前面通路の斜視図である。
【図８】第一の実施形態にかかるガラス枠の正面斜視図である。
【図９】第一の実施形態にかかるパチンコ遊技機の斜視図である。
【図１０】第二の実施形態にかかるパチンコ遊技機の斜視図である。
【図１１】第三の実施形態にかかるパチンコ遊技機の斜視図である。
【図１２】第三の実施形態にかかるガラス枠の背面図である。
【図１３】第三の実施形態にかかる連絡通路の説明図である。
【図１４】第三の実施形態にかかるパチンコ遊技機の斜視図である。
【図１５】第四の実施形態にかかるパチンコ遊技機の斜視図である。
【図１６】第五の実施形態にかかるパチンコ遊技機の斜視図である。
【図１７】第五の実施形態にかかる連絡通路の説明図である。
【図１８】第六の実施形態にかかるパチンコ遊技機の斜視図である。
【図１９】第六の実施形態にかかる連絡通路の説明図である。
【図２０】第七の実施形態にかかる前面通路の断面図である。
【図２１】第八の実施形態にかかるパチロットの斜視図である。
【図２２】第八の実施形態にかかるパチロットの分解斜視図である。
【符号の説明】
【００８０】
１０，１１０，２１０，３１０，４１０，５１０，６１０…パチンコ遊技機
７１０…パチロット
１１…外枠
１２，１１２，２１２，３１２，４１２，５１２，６１２，７１２…本体枠
１３，１１３，２１３，３１３，５１３…ガラス枠
１３ａ…ガラス
１４…上皿
１５…下皿
１６…発射ハンドル
１６ａ…発射機構
１７…機構板
１８…タンク
１９…払い出し装置
２０…ガイド部材
２４…遊技盤
２５…遊技領域
２５ｂ…液晶表示装置
２５ｃ…風車
２６…ガラス保持フレーム
２６ａ……ガラス保持レール
３０，１３０，２３０，３３０，４３０，５３０，６３０，７３０，８３０…前面通路
３２…入口
３３…出口
４０…案内通路
４３…オーバーフロー通路
Ａ…連絡通路
【図１】
2006068238.tif 000003
【図２】
2006068238.tif 000004
【図３】
2006068238.tif 000005
【図４】
2006068238.tif 000006
【図５】
2006068238.tif 000007
【図６】
2006068238.tif 000008
【図７】
2006068238.tif 000009
【図８】
2006068238.tif 000010
【図９】
2006068238.tif 000011
【図１０】
2006068238.tif 000012
【図１１】
2006068238.tif 000013
【図１２】
2006068238.tif 000014
【図１３】
2006068238.tif 000015
【図１４】
2006068238.tif 000016
【図１５】
2006068238.tif 000017
【図１６】
2006068238.tif 000018
【図１７】
2006068238.tif 000019
【図１８】
2006068238.tif 000020
【図１９】
2006068238.tif 000021
【図２０】
2006068238.tif 000022
【図２１】
2006068238.tif 000023
【図２２】
2006068238.tif 000024